(57)【特許請求の範囲】
【請求項１】
建物躯体よりも室外側に巻取りシャフトを設け、その巻取りシャフトに巻掛けたシャッターカーテンをサッシ窓の障子よりも室外側に上下動自在とした手動式シャッター雨戸において、
前記巻取りシャフトを回転する操作部材を、サッシ窓の縦枠中空部を通し、障子を開放せずに操作部材を操作して巻取りシャフトを回転することでシャッターカーテンを巻取り、繰り出して開閉できる縦枠内面に突出したことを特徴とする手動式シャッター雨戸の開閉装置。
【請求項２】
サッシ枠に内障子と外障子を設けて引き違いのサッシ窓とし、そのサッシ枠を形成する左右の縦枠における内障子開放側の縦枠の中空部に操作部材を挿通し、この操作部材を縦枠の内面における外障子を閉じた時に操作部材と干渉しない位置に突出した請求項１記載の手動式シャッター雨戸の開閉装置。
【発明の詳細な説明】
【０００１】
【発明の属する技術分野】
本発明は、サッシ窓の室外側に取付けた手動式シャッター雨戸を開閉する装置に関する。
【０００２】
【従来の技術】
手動式シャッター雨戸は、複数のスラットを連結したシャッターカーテンを巻取りシャフトに巻掛け、その巻取りシャフトを手動操作で正転、逆転してシャッターカーテンを巻き取り、繰り出して開閉するものである。この手動式シャッター雨戸の開閉装置としては、例えば実開平５−４３１８７号公報に示すように巻取りシャフトを回転する操作ハンドルをサッシ窓よりも室内側に設けたものが知られている。
【０００３】
【発明が解決しようとする課題】
前述の開閉装置であればサッシ窓の障子を開放せずにシャッター雨戸を開閉できるが、巻取りシャフトを回転する軸部材を建物躯体を貫通して室内に突出し、この軸部材と操作ハンドルを連結しているから、建物躯体に軸部材を貫通するための加工が必要である。
【０００４】
そこで、本発明は前述の課題を解決できるようにした手動式シャッター雨戸の開閉装置を提供することを目的とする。
【０００５】
【課題を解決するための手段】
第１の発明は、建物躯体よりも室外側に巻取りシャフトを設け、その巻取りシャフトに巻掛けたシャッターカーテンをサッシ窓の障子よりも室外側に上下動自在とした手動式シャッター雨戸において、
前記巻取りシャフトを回転する操作部材を、サッシ窓の縦枠中空部を通し、障子を開放せずに操作部材を操作して巻取りシャフトを回転することでシャッターカーテンを巻取り、繰り出して開閉できる縦枠内面に突出したことを特徴とする手動式シャッター雨戸の開閉装置である。
【０００６】
第２の発明は、第１の発明において、サッシ枠に内障子と外障子を設けて引き違いのサッシ窓とし、そのサッシ枠を形成する左右の縦枠における内障子開放側の縦枠の中空部に操作部材を挿通し、この操作部材を縦枠の内面における外障子を閉じた時に操作部材と干渉しない位置に突出した手動式シャッター雨戸の開閉装置である。
【０００７】
【作    用】
第１の発明によれば、障子を開放せずに操作部材を操作して巻取りシャフトを回転することでシャッターカーテンを巻取り、繰り出して開閉できる。
また、操作部材は縦枠の中空部を通して縦枠の内面に突出しているから、縦枠に加工するだけで建物躯体には操作部材を通すための加工が不要である。
【０００８】
第２の発明によれば、縦枠の内面に突出した操作部材とサッシ枠の室内側に取付けたシャッターカーテンが接触することがないし、室内から操作部材が見えずらい。しかも、外障子を閉じた時に操作部材と干渉しないから外障子を完全に閉じることができる。
【０００９】
【発明の実施の形態】
図１と図２に示すように、建物躯体１の開口部２にサッシ枠３が室外側に突出して取付けてある。このサッシ枠３は左右の縦枠４間に亘って上枠５と下枠６を連結した方形枠形状で、そのサッシ枠３内に内障子７と外障子８が面内方向に引き違いに装着されて引き違いのサッシ窓９としてある。
【００１０】
前記建物躯体１の室外面１ａにおけるサッシ枠３よりも上部にシャッターケース１０が取付けてあり、このシャッターケース１０内に巻取りシャフト１１が回転自在に設けてあり、その巻取りシャフト１１は回転機構１２で正転、逆転される。
【００１１】
複数のスラット１３を連結したシャッターカーテン１４の最上部が巻取りシャフト１１に固着され、このシャッターカーテン１４は左右の縦枠４の室外寄りに設けた一対のガイドレール１５に沿って上下動自在で、これによってシャッター雨戸を形成している。
【００１２】
前記回転機構１２は図３に示すように、ボックス２０内に駆動ギヤ２１と従動ギヤ２２を設け、この従動ギヤ２２の軸２３にプーリ２４を固着してある。このプーリ２４に紐などの無端状の索条２５、つまり操作部材を巻掛けてある。
【００１３】
前記索条２５は図１，図２，図４に示すように、内障子７の開放側の縦枠４の中空部２６内に垂れ下り、縦枠４の内壁４ａに形成した穴２７からサッシ枠３内に垂れ下っている。
【００１４】
前記索条２５は内障子７と面外方向に同一位置であり、サッシ枠３の室内側に取付けたカーテンと索条２５が接触することがないし、室内から索条２５が見えずらい。しかも、外障子８を閉じた時に外障子８と索条２５が干渉しないから外障子８を完全に閉じることができる。
【００１５】
次に本発明の第２の実施の形態を図５ないし図８に基づいて説明する。
回転機構１２は図７に示すように、従動ギヤ２２の軸２３にウォームホイール３０を固着し、このウォームホイール３０にウォーム３１を噛合してあり、そのウォーム３１の回転軸３２が縦枠４の中空部２６内に突出している。
【００１６】
この回転軸３２はユニバーサルジョイントで縦枠４の内壁４ａにおける内障子７と面外方向に同一位置に取付けた操作ハンドル３３に連結している。この操作ハンドル３３は図８に示すように軸３４に握手３５を真直ぐに下向き姿勢と室内側にずれた位置に変位可能に連結してあり、この操作ハンドル３３と回転軸３２が操作部材となる。
【００１７】
【発明の効果】
請求項１に係る発明によれば、障子を開放せずに操作部材を操作して巻取りシャフトを回転することでシャッターカーテンを巻取り、繰り出して開閉できる。また、操作部材は縦枠の中空部を通して縦枠の内面に突出しているから、縦枠に加工するだけで建物躯体には操作部材を通すための加工が不要である。
【００１８】
請求項２に係る発明によれば、縦枠の内面に突出した操作部材とサッシ枠の室内側に取付けたシャッターカーテンが接触することがないし、室内から操作部材が見えずらい。しかも、外障子を閉じた時に操作部材と干渉しないから外障子を完全に閉じることができる。
【図面の簡単な説明】
【図１】本発明の第１の実施の形態を示す縦断面図である。
【図２】左右一方側の横断面図である。
【図３】回転機構の横断面図である。
【図４】操作部材の取付部分の斜視図である。
【図５】本発明の第２の実施の形態を示す縦断面図である。
【図６】左右一方側の横断面図である。
【図７】回転機構の横断面図である。
【図８】操作ハンドルの正面図である。
【符号の説明】
１…建物躯体
１ａ…室外側面
２…開口部
３…サッシ枠
４…縦枠
４ａ…内壁
５…上枠
６…下枠
７…内障子
８…外障子
９…サッシ窓
１１…巻取りシャフト
１２…回転機構
１４…シャッターカーテン
２０…ケース
２１…駆動ギヤ
２２…従動ギヤ
２４…プーリ
２５…索条（操作部材）
２６…中空部
２７…穴
３０…ウォームホイール
３１…ウォームギヤ
３２…回転軸
３３…操作ハンドル（操作部材）。
【図１】
0003603247.tif 000002
【図２】
0003603247.tif 000003
【図３】
0003603247.tif 000004
【図４】
0003603247.tif 000005
【図５】
0003603247.tif 000006
【図６】
0003603247.tif 000007
【図７】
0003603247.tif 000008
【図８】
0003603247.tif 000009